(57)【要約】      （修正有）【課題】ペットボトルなどの各種容器において円筒状口部の開蓋、閉蓋を片手で、敏速に行えることを目的とする。また、蓋の製造コストをできる限り上げず従前と略同一にする。【解決手段】ペットボトル１はペットボトル本体１０と鍔部２０とを備え、円筒状口部に蓋１００を螺合してなる。蓋１００は下端に開封防止部(地獄止め)３０を連繋してなり、ペットボトル１の円筒状口部に螺合する蓋体５０の頂部外面側に前記円筒状口部の内径部へ軽圧入で嵌合する栓６０を突設した構成。蓋を反転して栓を円筒状口部の内径部へ軽く圧入することにより片手で、敏速に閉蓋できる。また、片手の４本の指で円筒状口部を掴み、残りの親指で蓋体を押し上げて敏速かつ容易に開蓋できる。【選択図】図１
2008030773.tif 000002
【特許請求の範囲】
【請求項１】
容器の円筒状口部に螺合する蓋体の頂部外面側に前記円筒状口部の内径部へ嵌合する栓を突設したことを特徴とする蓋。
【請求項２】
容器の円筒状口部に螺合する蓋体の頂部外面側に前記円筒状口部の外径部へ嵌合する円筒部を突設したことを特徴とする蓋。
【請求項３】
容器の円筒状口部に螺合する蓋体の頂部外面側に前記円筒状口部の内径部または外径部のいずれか一方へ係止する係止部を複数立設したことを特徴とする蓋。
【請求項４】
蓋体の頂部内面側に前記円筒状口部の内径部へ嵌合する中栓を突設したことを特徴とする請求項１〜３のいずれか１項に記載の蓋
【請求項５】
蓋体の開放端側に開封防止部材が連繋していることを特徴とする請求項１〜４のいずれか１項に記載の蓋。
【請求項６】
請求項１〜５のいずれか１項に記載の蓋を備えたことを特徴とする容器。
【発明の詳細な説明】
【技術分野】
【０００１】
本発明は、飲料、調味料、液体調理材、薬剤等を入れる瓶、ペットボトル、筒型紙パックなどの各種容器の円筒状口部を閉蓋する蓋に関する。詳しくは、ペットボトルなどの容器の開栓、閉栓を片手で、敏速に行える蓋に関する。
【背景技術】
【０００２】
ペットボトルなどの筒状容器と蓋の関係において、ネジを用いた螺合形式では開蓋、閉蓋に時間がかかる。片手では開蓋、閉蓋操作がやりにくい。特に車の運転中に開蓋、飲用、閉蓋を行った場合、わきみ運転の原因となり重大な事故を引き起こす恐れが大きい。さらに、脳梗塞に罹った人や握力の弱った老人にとって開蓋、閉蓋操作の簡便さが求められている。
【０００３】
ペットボトルの蓋を引っ掛け式にして、蓋を開ける時は、蓋の引っ掛かり部分を外すだけで開ける事ができ、蓋を閉める時も開閉蓋をペットボトルの口にかぶせ、引っ掛け部分を掛けるだけで、閉める事が出来るものとして特開２００４−３０６９８１号公報が提案されている。
【特許文献１】特開２００４−３０６９８１号公報
【発明の開示】
【発明が解決しようとする課題】
【０００４】
しかし特許文献１において、引っ掛け式の蓋はヒンジ機構を要しコストが高くつく。また、流通過程において自然開封または故意の開封を防止するため熱収縮樹脂フィルムで密閉被覆する必要があった。前記被覆作業は工数と材料費コストがさらに加わることになる。
【０００５】
本発明はペットボトルなどの各種容器において円筒状口部の開蓋、閉蓋を片手で、敏速に行えることを目的とする。また、蓋の製造コストをできる限り上げず従前と略同一にすることを目的とする。その場合、流通過程や使用過程において従前の閉蓋機能を落とさず、例えば、炭酸飲料などの密封を可能にすることを目的とする。
【課題を解決するための手段】
【０００６】
本発明にかかる蓋は、容器の円筒状口部に螺合する蓋体の頂部外面側に前記円筒状口部の内径部へ嵌合する栓を突設したことを特徴としたもので、蓋を反転して栓を口部の内径部へ軽く圧入(締まり嵌めのシメ代が小さい)することにより片手で、敏速に閉蓋できる。また、片手の４本の指で口部を掴み、残りの親指で蓋体を押し上げて敏速かつ容易に開蓋できる。蓋の製造コストも従前と略同一に抑えることができる。円筒状口部を密封したい場合は従前通り蓋体を螺合させればよい。(請求項１)
【０００７】
さらに、本発明にかかる蓋は、容器の円筒状口部に螺合する蓋体の頂部外面側に前記円筒状口部の外径部へ嵌合する円筒部を突設したことを特徴としたもので、蓋を反転して円筒状口部の外径部へ軽く圧入することにより片手で、敏速に閉蓋、開蓋できる。蓋の製造コストも従前と略同一に抑えることができる。円筒状口部を密封したい場合は従前通り蓋体を螺合させればよい。(請求項２)
【０００８】
さらに、本発明にかかる蓋は、容器の円筒状口部に螺合する蓋体の頂部外面側に前記円筒状口部の内径部または外径部のいずれか一方へ係止する係止部を複数立設したことを特徴としたもので、蓋を反転して円筒状口部の内径部または外径部のいずれか一方へ係止することにより片手で、敏速に閉蓋、開蓋できる。蓋の製造コストも従前と略同一に抑えることができる。円筒状口部を密封したい場合は従前通り蓋体を螺合させればよい。(請求項３)
【０００９】
なお、本発明にかかる前記蓋において、蓋体の頂部内面側に円筒状口部の内径部へ嵌合する栓(中栓)を突設したことを特徴としたもので、ネジ部の締結力により炭酸飲料などの密封をより確実に行える。(請求項４)
【００１０】
さらに本発明にかかる前記蓋において、蓋体の開放端側に開封防止部材(いわゆる地獄止め)が連繋していることを特徴としたもので、これにより故意の開封を防止できる。(請求項５)
【００１１】
さらに本発明にかかる容器は、前記発明のいずれか１項に記載の蓋を備えたことを特徴としたもので、これにより開蓋、閉蓋を片手で、敏速に行える。また、蓋の製造コストを従前と略同一にできる。さらに、流通過程や使用過程において従前の閉蓋機能を落とさず、例えば、炭酸飲料などの密封を可能にする。(請求項６)
【発明の効果】
【００１２】
上記構成により本発明の蓋と容器は、開蓋、閉蓋を片手で、敏速に行える。特に車の運転中に開蓋、飲用、閉蓋を行った場合、わきみ運転による事故を軽減できる。また、脳梗塞に罹った人や握力の弱った老人にとって開蓋、閉蓋の操作が容易となる。さらに、蓋の製造コストを従前と略同一にできる。さらに、流通過程や使用過程において従前の閉蓋機能を落とさず、例えば、炭酸飲料などの密封を可能にする。
【発明を実施するための最良の形態】
【００１３】
本発明にかかる蓋は上述の通りである。蓋の構成材料はポリプロピレン(ＰＰ)系樹脂、ポリスチレン系樹脂、ポリエチレン系樹脂、ポリオレフィン系樹脂など任意の樹脂部材としてよい。勿論、鉄やアルミニウムなどの金属部材としてもよい。コストを上げないためには蓋体と前記栓とは同一部材とし、一体成型するのが好ましい。
なお、蓋体と栓とを異種部材としてもよいし、硬度を異ならせてもよい。例えば、蓋体の頂部外面側に配設する栓または頂部内面側に配設する中栓の内、少なくとも一方の構成部材をシリコンやフッ素などのゴム部材やエラストマー部材などの軟質部材としてもよい。
【００１４】
蓋体の内径側に配設する雌ネジは一般的に用いられる緩み防止構造とするのが好ましい。即ち、ネジ山が螺旋形に連続するのでなく、途中の４〜５箇所において各２ｍｍ程度づつ切り欠いた不連続のネジとするのが好ましい。
また、蓋体の頂部内径側に中栓を設けた構成とするのが好ましい。これによりネジ部の締結力により炭酸飲料などの密封をより確実に行える。
さらに、蓋体の開放端側に開封防止部材(地獄止め)が連繋していることが望ましい。これにより故意の開封を防止できる
【実施例１】
【００１５】
以下、本発明の一実施例における蓋を図面とともに説明する。図１は本発明の一実施例における閉蓋ペットボトルの要部正面図、図２は図１を構成する蓋の要部断面図、図３は図２の平面図、図４は本発明のもう一つの実施例における蓋の要部平面図を示す。
【００１６】
図1〜図３において、ペットボトル１はペットボトル本体１０と鍔部２０とを備え、円筒状口部に蓋１００を螺合してなる。蓋１００は下端に開封防止部(地獄止め)３０を連繋している。蓋１００、開封防止部３０はＰＰ系樹脂からなる。
蓋１００は蓋体５０の内面側に雌ネジ７０を備え、頂部内面側に略円筒状の第一の栓(中栓)８０を、頂部外面側に略円筒状の第二の栓６０を突設してなる。第二の栓６０はペットボトル１の円筒状口部の内径部へ圧入嵌合する構成としている。前記圧入嵌合は数Ｎ(ニュートン)〜１０Ｎ程度の軽い力で挿抜できるようシメ代を設定するのが好ましい。即ち、円筒状口部内径より第二の栓６０のストレート部６２の外径を０．０１〜０．０５ｍｍ程度大きく構成するのが好ましい。
【００１７】
図２に示すように、第二の栓６０はストレート部６２と根元の逃げ部６３と円筒状口部への挿入を容易にするテーパー部６１とからなり、頂部外面からの突設高さは約５〜７ｍｍ程度とした。雌ネジ７０は２〜３ピッチ程度の螺旋数とし、ネジの緩み止めを目的として螺旋の途中を４〜５箇所で各２ｍｍ程度切り欠いた不連続のネジとした。
さらに図３に示すように、開蓋した際、テーブル等に置いた蓋が転がらぬよう蓋体５０の円筒外面の一部に平面を形成する転がり防止部５５を設けた構成とするのが好ましい。
【００１８】
上記構成により本発明の蓋は開蓋、閉蓋を片手で、敏速に行える。特に車の運転中に開蓋、飲用、閉蓋を行う場合のわきみ運転を軽減できる。また、脳梗塞に罹った人や握力の弱った老人にとって開蓋、閉蓋の操作が容易となる。さらに、流通過程や使用過程において従前の螺合による閉蓋機能を低下させることなく、例えば、炭酸飲料などの密封を可能にする。
【００１９】
なお、図４に示す蓋２００のように第二の栓６０に代えて係止部９０を複数立設させ、前記係止部９０がペットボトル１の円筒状口部の内径部に係止させる構成としてもよい。図４に示す係止部９０は、図３に示す円筒状の第二の栓６０を切り欠き、１２０度毎に３箇所、係止部９０を３０〜４０度の範囲に立設したものである。
さらに、複数立設させた係止部をペットボトル１の円筒状口部の外径部に係止する構成としてよいことも自明である。
【実施例２】
【００２０】
図５は本発明のもう一つの実施例における蓋の要部断面図を示す。この場合の蓋３００はペットボトル１の円筒状口部に螺合する蓋体の頂部外面側に、前記円筒状口部の外径部へ軽く圧入嵌合する円筒部３６０を高さＨ＝７ｍｍ程度に突設したことを特徴とする。即ち、第二の栓６０に代え円筒部３６０が締まり嵌め状態でペットボトル１口部の外形部に装着する構成としたものである。
実施例２における蓋３００も反転してペットボトル口部の外径部へ円筒部３６０を軽く圧入することにより片手で、敏速に閉蓋、開蓋できる。
【産業上の利用可能性】
【００２１】
本発明は、缶、瓶、ペットボトル、筒型紙パックなど各種容器の円筒状口部の蓋として利用できるほかに、飲用袋状容器の蓋、薬剤や血液などを入れた医療用袋状容器の蓋、チューブ容器の蓋、パウチ容器の蓋、水や灯油を入れるポリタンクの蓋などにも利用できる。
【図面の簡単な説明】
【００２２】
【図１】本発明の一実施例における閉蓋ペットボトルの要部正面図
【図２】図１を構成する蓋の要部断面図
【図３】図２の平面図
【図４】本発明のもう一つの実施例における蓋の要部平面図
【図５】本発明のもう一つの実施例における蓋の要部断面図
【符号の説明】
【００２３】
１  ペットボトル
１０  ペットボトル本体
２０  鍔部
３０  開封防止部(地獄止め)
４０  熱収縮性樹脂フィルム
５０  蓋体
５５  転がり防止部
６０  第二の栓
６１  テーパー部
６２  ストレート部
６３  逃げ部
７０  雌ネジ部
８０  第一の栓(中栓)
９０  係止部
１００、２００、３００  蓋
３６０  円筒部
【図１】
2008030773.tif 000003
【図２】
2008030773.tif 000004
【図３】
2008030773.tif 000005
【図４】
2008030773.tif 000006
【図５】
2008030773.tif 000007